(57)【要約】【課題】照明システムにおいて、観客等に対する演者等の目立ち感を維持しつつ、照明光による演者の不快感を低減する。【解決手段】照明システム１は、２種以上の光源（ＬＥＤ）２と、光源２による照明光の色温度を設定するためのコントローラ３と、照明光がコントローラ３により設定された色温度となるように光源２の出力を個別に制御する制御部４と、調光モードを切り替えるためのモード切替スイッチ３３ａ，３３ｂと、を備え、調光モードには、光源２から照射される照明光による照度を変化させる第１調光モードと、光源２から照射される照明光の目立ち指数ＦＣＩを変化させる第２調光モードと、が含まれる。この構成によれば、ユーザの操作により、又は自動的に調光モードを切り替え、目立ち感の高い照明光を用いることで、観客等に対する演者等の目立ち感を維持しつつ、照明光による演者の不快感を低減することができる。【選択図】図１
2014222594.tif 000002
【特許請求の範囲】
【請求項１】
互いに異なる発光スペクトルを有する２種以上の光源と、前記光源の点灯状態を設定するための操作部と、前記操作部により設定された点灯状態が得られるように前記光源の出力を個別に制御する制御部と、を備えた照明システムであって、
前記操作部は、前記制御部による照明光の複数の調光モードを切り替えるためのモード切替部を有し、
前記複数の調光モードには、前記光源から照射される照明光による照度を変化させる第１調光モードと、前記光源から照射される照明光の目立ち指数ＦＣＩを変化させる第２調光モードと、を含むことを特徴とする照明システム。
【請求項２】
前記操作部は、前記光源の点灯状態として、前記第１調光モードにおける照度の変化量、及び前記第２調光モードにおけるＦＣＩの変化量を入力する入力部を更に有することを特徴とする請求項１に記載の照明システム。
【請求項３】
前記モード切替部は、ユーザの操作に応じて前記調光モードを切り替えることを特徴とする請求項１又は請求項２に記載の照明システム。
【請求項４】
照射対象を検知するセンサを更に備え、
前記モード切替部は、前記センサの検知結果に応じて前記調光モードを切り替えることを特徴とする請求項１又は請求項２に記載の照明システム。
【請求項５】
前記光源は、互いに照明光の目立ち指数ＦＣＩが異なる少なくとも２種の白色光源を含み、
前記制御部は、前記第１調光モードでは、前記操作部の操作に応じて相対的に目立ち指数ＦＣＩの低い白色光源の出力を変化させ、前記第２調光モードでは、前記操作部の操作に応じて相対的に目立ち指数ＦＣＩの低い白色光源と相対的に目立ち指数ＦＣＩの高い白色光源との出力比を変化させることを特徴とする請求項１乃至請求項４に記載の照明システム。
【発明の詳細な説明】
【技術分野】
【０００１】
本発明は、照明光の配光及び波長成分を変化させる照明システムに関する。
【背景技術】
【０００２】
従来から、舞台やスタジオ等では、舞台上の演者やセットといった視対象を目立たせるために、高出力の光を照射できるスポットライトやダウンライト等の照明装置を用いて視対象を照明する照明システムが用いられている。
【０００３】
しかしながら、高出力の照明光で照射された演者は、眩しさや熱線による暑さといった不快感を覚えることがある。特に、楽器や演劇の演者にとって、照明光による不快感は演奏等の妨げになる。そこで、光源から放射された赤外光をカットするフィルタが知られている（例えば、特許文献１参照）。このフィルタを照明装置の光照射面に配置することにより、演者に照射される熱線を低減することができる。
【先行技術文献】
【特許文献】
【０００４】
【特許文献１】特開２０１０―７８７１４号公報
【発明の概要】
【発明が解決しようとする課題】
【０００５】
しかしながら、上記特許文献１の照明装置では、可視光そのものによる眩しさや煩わしさによる演者の不快感を低減することはできない。ところが、演者の不快感を低減するために、可視光の出力を低下させると、演者等が十分に照明されず、観客等に対する目立ち感が得られなくなる。
【０００６】
本発明は、上記課題を解決するものであり、観客等に対する演者等の目立ち感を維持しつつ、照明光による演者の不快感を低減することができる照明システムを提供することを目的とする。
【課題を解決するための手段】
【０００７】
上記課題を解決するため、本発明は、互いに異なる発光スペクトルを有する２種以上の光源と、前記光源の点灯状態を設定するための操作部と、前記操作部により設定された点灯状態が得られるように前記光源の出力を個別に制御する制御部と、を備えた照明システムであって、前記操作部は、前記制御部による照明光の複数の調光モードを切り替えるためのモード切替部を有し、前記複数の調光モードには、前記光源から照射される照明光による照度を変化させる第１調光モードと、前記光源から照射される照明光の目立ち指数ＦＣＩを変化させる第２調光モードと、を含むことを特徴とする。
【０００８】
上記照明装置において、前記操作部は、前記光源の点灯状態として、前記第１調光モードにおける照度の変化量、及び前記第２調光モードにおけるＦＣＩの変化量を入力する入力部を更に有することが好ましい。
【０００９】
上記照明装置において、前記モード切替部は、ユーザの操作に応じて前記調光モードを切り替えることが好ましい。
【００１０】
上記照明装置において、照射対象を検知するセンサを更に備え、前記モード切替部は、前記センサの検知結果に応じて前記調光モードを切り替えることが好ましい。
【００１１】
上記照明装置において、前記光源は、互いに照明光の目立ち指数ＦＣＩが異なる少なくとも２種の白色光源を含み、前記制御部は、前記第１調光モードでは、前記操作部の操作に応じて相対的に目立ち指数ＦＣＩの低い白色光源の出力を変化させ、前記第２調光モードでは、前記操作部の操作に応じて相対的に目立ち指数ＦＣＩの低い白色光源と相対的に目立ち指数ＦＣＩの高い白色光源との出力比を変化させることが好ましい。
【発明の効果】
【００１２】
本発明によれば、ユーザの操作により、又は自動的に調光モードを切り替え、目立ち感の高い照明光を用いることで、観客等に対する演者等の目立ち感を維持しつつ、照明光による演者の不快感を低減することができる。
【図面の簡単な説明】
【００１３】
【図１】本発明の一実施形態に係る照明システムの構成図。
【図２】（ａ）乃至（ｅ）は同照明システムのコントローラにおける操作手段のバリエーションを示す図。
【図３】同照明装置に用いられるＬＥＤの側断面図。
【図４】同照明システムに用いられる光源の分光スペクトルを示す図。
【図５】同照明システムに用いられる電源ユニットの構成図。
【図６】同照明システムの動作フローを示す図。
【図７】同照明システムの各調光モードにおける照明光の分光スペクトルを示す図。
【図８】上記実施形態の変形例に係る照明システムの構成図。
【図９】同照明システムに用いられる光源の分光スペクトルを示す図。
【図１０】同照明システムの各調光モードにおける照明光の分光スペクトルを示す図。
【図１１】上記実施形態の別の変形例に係る照明システムの構成図。
【発明を実施するための形態】
【００１４】
本発明の一実施形態に係る照明システムについて、図１乃至図７を参照して説明する。図１に示すように、本実施形態に係る照明システム１は、光源２と、光源２による照明光の色温度を設定するためのコントローラ３（操作部）と、照明光がコントローラ３により設定された色温度となるように光源２の出力を個別に制御する制御部４と、を備える。光源２には、互いに異なる発光スペクトルを有する２種以上の固体発光素子（以下、ＬＥＤ）、図例では、光源２として３種のＬＥＤ２ａ，２ｂ，２ｃが用いられ、これらが灯具１０に組み込まれている。ただし、光源の種類は３種に限られず、各種ＬＥＤが複数用いられてもよい。また、照明システム１は、各ＬＥＤ２ａ〜２ｃに所定の電力を供給する電源ユニット５を備える。電源ユニット５は、図示したように、それ自体が独立した構成であってもよいし、コントローラ３又は灯具１０のいずれかに組み込まれていてもよい。
【００１５】
コントローラ３は、ハウジング３０と、ユーザが照明光の色温度を設定するための円筒形のボリュームスイッチ３１（入力部）と、照明システム１をオンオフするための電源スイッチ３２と、を備える。ボリュームスイッチ３１は、ハウジング３０に対して回動自在に設けられており、ユーザが所望の色温度を設定することができる。電源スイッチ３２は、タンブラスイッチ又は押釦スイッチ等から成り、交流電源ＡＣから電源ユニット５への給電経路を開閉する。
【００１６】
また、コントローラ３は、照明システム１における調光モードを切り替えるためのモード切替スイッチ３３ａ，３３ｂ（モード切替部）を備える。調光モードには、光源２から照射される照明光による照度を変化させる第１調光モードと、光源２から照射される照明光の目立ち指数ＦＣＩを変化させる第２調光モードと、が含まれる。ここでは、モード切替スイッチ３３ａが第１調光モードを選択するためのスイッチであり、モード切替スイッチ３３ｂが第２調光モードを選択するためのスイッチである。なお、これらのスイッチは、電源スイッチ３２と同様、タンブラスイッチ又は押釦スイッチ等から成る。
【００１７】
照明環境にある視対象物の色の鮮やかさは、視対象物から受ける目立ち感による影響を受けることが知られている。ところが、この目立ち感による影響は、従来の演色性の評価に一般的に用いられる平均演色評価数（Ｒａ）では適切に評価できない。そこで、目立ち感の評価数である目立ち指数（ＦＣＩ：Feeling of contrast index）を、Ｒａと併せて用いることにより、光源の演色性を、多面的により適切に評価することができる（新編色彩科学ハンドブック[第3版]日本色彩学会編参照）。
【００１８】
ＦＣＩとは、光源の色再現の目立ちや鮮やかさの程度を表す指標であり、下記式（１）により定義される。
【００１９】
【数１】
2014222594.tif 000003
ＧＬＡＢ（Ｔ）：テスト光源下での赤・青・緑・黄の４色配色サンプルのＬＡＢ表色系における色域面積
ＧＬＡＢ（Ｄ６５）：基準光源Ｄ６５下での同４色配色サンプルのＬＡＢ表色系における色域面積
【００２０】
すなわち、目立ち指数ＦＣＩは、上記式（１）により定義される値である。すなわち、ＦＣＩは、テスト光源下での赤・青・緑・黄の４色配色サンプルのＬＡＢ表色系における色域面積をＧＬＡＢ（Ｔ）とし、基準光源Ｄ６５下での同４色配色サンプルのＬＡＢ表色系における色域面積をＧＬＡＢ（Ｄ６５）としたとき、［ＧＬＡＢ（Ｔ）／ＧＬＡＢ（Ｄ６５）］１．５×１００で表される。ＦＣＩは、基準光源Ｄ６５で１００となり、このＦＣＩが１００より大きい光源は、基準光源Ｄ６５よりも色を鮮やかに演色し空間を明るく感じさせる。
【００２１】
制御部４は、コントローラ３のハウジング３０内に内蔵されており、ボリュームスイッチ３１の操作によって設定された相関色温度から、直流電圧信号を生成する。
【００２２】
図１では、ユーザによる操作手段として回転式のボリュームスイッチ３１を例示しているが、ユーザが所望の色温度を設定することができれば、操作手段は他の構成であってもよい。例えば、図２（ａ）に示すように、フェーダを縦方向にスライドさせるものでもよいし、図２（ｂ）に示すように、高低ボタンを押すもの、図２（ｃ）に示すように、所定の色温度に対応付けられた多段階のスイッチであってもよい。また、図２（ｄ）に示すように、回転式ボリュームスイッチと多段スイッチとを組み合わせたものであってもよく、図２（ｅ）に示すように、色温度の数値を入力するものであってもよい。更に、上述したボタンやフェーダがタッチパネル上に表示され、設定色温度に対応する色によって表現されていてもよい。その表示は、文字でもよいし、橙色や青色といったように、色彩であってもよい。更に、コントローラ３に上記の各スイッチの設定状態を表示する表示部（不図示）が設けられてもよく、この表示部には、数字や記号だけでなく、人や物の形状を模った図形が表示されてもよい。
【００２３】
図３に示すように、光源２（ＬＥＤ２ａ〜２ｃ）は、断面矩形状の基材２０と、基材２０上に実装された発光部（ＬＥＤチップ）２１と、ＬＥＤチップ２１を取り囲む凹部を有する枠体２２と、枠体２２に充填される充填材２３と、を備える。充填材２３には、シリコン等が用いられ、ＬＥＤチップ２１からの出射光の波長を変換する蛍光体２４ａ，２４ｂが含有される。なお、図例では、２種の蛍光体２４ａ，２４ｂが用いられた構成を示すが、蛍光体の種類は２種に限られず、光源２の出射光が後述する発光スペクトルとなるように適宜に調整される。
【００２４】
基材２０の一側面にはカソード電極２５が、他側面にはアノード電極２６が設けられ、基材２０の下面両端部に形成された外部接続電極２７，２８に夫々接続される。また、カソード電極２５及びアノード電極２６は、ワイヤ２９によってＬＥＤチップ２１の各電極端子（不図示）に夫々接続される。枠体２２の内周面は、光の導出方向に開口した円錐面として形成されており、円錐面の表面は光反射機能を有する。
【００２５】
ＬＥＤチップ２１、特に、ＬＥＤ２ａのものには、好ましくは、青色光を出射する青色ＬＥＤ素子が用いられ、蛍光体２４ａ，２４ｂの種類又は含有量を調整することによって、所望の色度の光を出射するＬＥＤが得られる。図１に示した各ＬＥＤ２ａ，２ｂ，２ｃの光色の色度座標が夫々（ｘ１，ｙ１），（ｘ２，ｙ２），（ｘ３，ｙ３）であり、各ＬＥＤ２ａ，２ｂ，２ｃの光量が夫々Ｙ１，Ｙ２，Ｙ３であるとき、混色光である照明光の光色の色度座標（ｘ０，ｙ０）及び光量Ｙ０は、下記式（２）で表される。そして、ＬＥＤ２ａ，２ｂ，２ｃの光量Ｙ１，Ｙ２，Ｙ３の比率を変化させることにより、混色光として得られる照明光の色度を変更することができる。
【００２６】
【数２】
2014222594.tif 000004
【００２７】
なお、蛍光体２４ａ，２４ｂに加えて、又はそれに換えて所定の波長の光を選択的に透過させることによってＬＥＤ２ａ〜２ｃの出射光の波長を変換するフィルタ（不図示）が用いられてもよい。このフィルタは、灯具１０の保護カバー（不図示）に設けられたものであってもよい。また、ＬＥＤ２〜２ｃには、適宜に出射光の配光を制御するためのレンズ部材（不図示）が設けられ、上述した蛍光体２４又はフィルタは、このレンズ部材に、又はＬＥＤ２とレンズ部材との間に組み込まれていてもよい。
【００２８】
上記のようにして、ＬＥＤ２ａ〜２ｃは、互いに異なる発光スペクトルを有するように構成される。本実施形態では、ＬＥＤ２ａには青色ＬＥＤチップとＹＡＧ系黄色蛍光体とを組み合わせたＢ−Ｙ系の白色ＬＥＤが用いられ、ＬＥＤ２ｂには窒化ガリウム系の緑色ＬＥＤ、また、ＬＥＤ２ｃにはＡｌＧａＰ系の赤色ＬＥＤが用いられる。図４は、これらＬＥＤ２ａ〜２ｃの出射光の分光スペクトルを示す。ＬＥＤ２ａは、青色ＬＥＤチップ自体の発光に起因する波長成分とＹＡＧ系蛍光体による変換光に起因する波長成分とか含まれる。本実施形態で用いられるＬＥＤ２ａの出射光によるＦＣＩは１０８、相関色温度は３０００Ｋであるとする。また、ＬＥＤ２ｂ，２ｃは、各ＬＥＤ自体の発光に起因する緑色及び赤い色のピーク波長を夫々有する。本実施形態で用いられるＬＥＤ２ｂ，２ｃの混色光によるＦＣＩは１３２、相関色温度は３０００Ｋであるとする。
【００２９】
図５に示すように、電源ユニット５は、コントローラ３からの制御信号が入力される制御信号入力部５１と、コントローラ３を通じて給電される交流電圧を所望の直流電圧に変換する交流／直流変換部５２と、を備える。また、電源ユニット５は、各ＬＥＤ２ａ〜２ｃ（図１参照）を駆動する第１〜第３ＬＥＤ駆動部５３ａ〜５３ｃと、制御信号入力部５１に入力される制御信号を、第１〜第３ＬＥＤ駆動部５３ａ〜５３ｃに出力される駆動信号に変換する駆動信号変換部５４と、を備えている。駆動信号変換部５４は、オンデューティ比が可変である一定周期の矩形波信号からなる駆動信号を出力することにより、第１〜第３ＬＥＤ駆動部５３ａ〜５３ｃのスイッチング素子（不図示）をＰＷＭ（パルス幅変調）制御してＬＥＤ２ａ〜２ｃへの給電量を調節する。
【００３０】
電源ユニット５では、コントローラ３の制御信号生成部から出力される制御信号が、制御信号入力部５１によってオンデューティ比（色温度）に対応した電圧レベルの直流電圧信号に変換される。そして、この直流電圧信号が、駆動信号変換部５４で第１〜第３ＬＥＤ駆動部５３ａ〜５３ｃに対する駆動信号に変換される。駆動信号変換部５４は、マイコン及びメモリから構成される。このメモリには、直流電圧信号の信号レベル（色温度）、設定された色温度に対応する照明光の光色の色度座標（ｘ０，ｙ０）、この色度座標と対応する各ＬＥＤ２ａ〜２ｃの光量Ｙ１，Ｙ２，Ｙ３の比率、及びそれらの対応関係を表した変換テーブルが格納される。マイコンは、メモリに格納された変換テーブルに基づいて直流電圧信号を駆動信号に変換する。
【００３１】
上記のように構成された照明システム１の動作を、上述した図１に加えて図６及び図７を説明する。まず、ユーザが電源スイッチ３２を押してシステムの電源をオンにすると、ＬＥＤ２ａが点灯する（図６のＳ１）。ユーザが、目立ち指数ＦＣＩを変化させる場合（Ｓ２でＹｅｓ）、モード切替スイッチ３３ａ，３３ｂのいずれかを押して、照明システム１の調光モードを選択する。例えば、ユーザがモード切替スイッチ３３ａを押して、第１調光モードを選択した後に、ボリュームスイッチ３１を操作すると（Ｓ３）、制御部４は、その操作量に応じて、ＬＥＤ２ａの出力の変化量を決定して（Ｓ４）、灯具１０からの照明光の照度を変化させる。この第１調光モードでは、ＬＥＤ２ａのみを点灯させるので、その照明光の分光スペクトルは、図７に示すように、青色ＬＥＤチップの出射光とＹＡＧ系蛍光体による変換光に起因する２つのピークが見られる。
【００３２】
また、ユーザがモード切替スイッチ３３ｂを押して、第２調光モードを選択した後に、ボリュームスイッチ３１を操作すると（図６のＳ３）、制御部４は、その操作量に応じて、設定ＦＣＩの変化量を決定する（Ｓ５）。そして、制御部４は、ＬＥＤ２ａ〜２ｃの総出力を変化させることなく、それらの混色光のＦＣＩが設定されたＦＣＩとなるように、ＬＥＤ２ａ〜２ｃの出力比を決定する（Ｓ６）。例えば、上述したように、ＬＥＤ２ａの出射光のＦＣＩが１０８であり、ＬＥＤ２ｂ，２ｃの混色光のＦＣＩが１３２であるとき、ボリュームスイッチ３１が低ＦＣＩに設定されているときは、ＬＥＤ２ａの出力を高く、ＬＥＤ２ｂ，２ｃの出力を止め、ボリュームスイッチ３１が高ＦＣＩに順次設定されると、その操作に応じて、ＬＥＤ２ａの出力を低減し、ＬＥＤ２ｂ，２ｃの出力を増加させる。こうすれば、照明光の出力を変化させることなく、ＦＣＩを１０８から１３２の範囲で制御することができる。この場合、低ＦＣＩから高ＦＣＩに変化させることで、照度を約１．２倍にする場合と同等の目立ち感増加効果が得られる。この第２調光モードでは、ＬＥＤ２ａ〜２ｃをＦＣＩに応じて点灯させるので、その照明光の分光スペクトルでは、図７に示すように、白色ＬＥＤチップであるＬＥＤ２ａの出射光、緑色ＬＥＤであるＬＥＤ２ｂの出射光、及び赤色ＬＥＤであるＬＥＤ２ｃの出射光が混合される。なお、ＦＣＩが最も高い値に設定されるときは、白色ＬＥＤチップであるＬＥＤ２ａの出射光に起因するピークが無くなり、緑色ＬＥＤであるＬＥＤ２ｂの出射光、及び赤色ＬＥＤであるＬＥＤ２ｃの出射光に起因するピークが高くなる。
【００３３】
このように、ユーザは、モード切替スイッチ３３ａ，３３ｂにより調光モードを選択した上で、ボリュームスイッチ３１を相さすることで、照明システム１における点灯状態を容易に変更することができる（Ｓ７）。なお、電源スイッチ３２がオン状態であるときは（Ｓ８でＮｏ）、ユーザは、上記変更をいつでも行なうことができ、電源スイッチ３２をオフしたとき、照明システム１の灯具１０は消灯する（Ｓ８でＹｅｓ）。このとき、制御部４のメモリ（不図示）は、消灯前の点灯状態を記憶しており、次に電源スイッチ３２がオンされたときは、記憶された点灯状態に従って点灯する。
【００３４】
本実施形態によれば、第１調光モードでは、発光効率の良い白色ＬＥＤから構成されたＬＥＤ２ａを点灯させることで省エネルギ化を図ることができる。また、第２調光モードでは、出力光の照度を変化させることなく、照明光のＦＣＩを変化させることで、照射対象の目立ち感を高めることができる。そして、ユーザは、照射対象に合わせて、調光モードを切り替えることがきる。例えば、人物を照らす場合には第２調光モードにすることで、観客等に対する演者等の目立ち感を維持しつつ、照明光による演者の不快感を低減することができる。このように、照明空間の状態に応じて、調光モードを切り替え、目立ち感の高い照明光を用いることで、省エネルギ化を図ると共に、観客等に対する演者等の目立ち感を維持しつつ、照明光による演者の不快感を低減することができる。
【００３５】
また、ボリュームスイッチ３１は、モード切替スイッチ３３ａ，３３ｂの操作状況に応じて、第１調光モードにおける照度の変化量、及び第２調光モードにおけるＦＣＩの変化量の両方を入力する入力部として機能する。そのため、コントローラ３の構成を簡素化することができ、また、ユーザの操作性も良くすることができる。
【００３６】
次に、上記実施形態の変形例に係る照明システムについて、図８乃至図１０を参照して説明する。図８に示すように、本変形例の照明システム１は、光源２として２種のＬＥＤ２ａ，２ｂを備える。これらのＬＥＤ２ａ，２ｂは、いずれも白色光源であり、互いに照明光のＦＣＩが異なるように構成されている。図９は、これらの分光スペクトルを示す。ここでは、ＬＥＤ２ａの照明光のＦＣＩが相対的に低く、ＬＥＤ２ｂの照明光のＦＣＩが相対的に高いものとする。また、制御部４は、第１調光モードでは、ボリュームスイッチ３１の操作に応じて相対的にＦＣＩの低いＬＥＤ２ａの出力を変化させる。一方、第２調光モードでは、ボリュームスイッチ３１の操作に応じて相対的にＦＣＩの低いＬＥＤ２ａ白色光源と相対的にＦＣＩの高いＬＥＤ２ｂとの出力比を変化させる。図１０は、これら各モードの分光スペクトルを示す。
【００３７】
本変形例において、相対的にＦＣＩの高いＬＥＤ２ａには、例えば、青色ＬＥＤチップとＹＡＧ系黄色蛍光体とを組み合わせたＢ−Ｙ系の白色ＬＥＤが用いられ、その出射光のＦＣＩが１００、相関色温度が３０００Ｋとされる。また、相対的にＦＣＩの高いＬＥＤ２ｂには、例えば、青色ＬＥＤチップにＢＯＳＥ系の緑色蛍光体及びＣＡＳＮ系の赤色蛍光体を組み合わせた白色ＬＥＤが用いられ、その出射光のＦＣＩが１５０、相関色温度が３０００Ｋとされる。なお、ＬＥＤ２ｂには、ネオジウムタイプのＬＥＤが使用されてもよい。本変形例における他の構成は、上記実施形態と同様である。
【００３８】
ここで、本変形例における、ボリュームスイッチ３１の操作量に応じた各調光モードでの出力の変化を説明する。ＬＥＤ２ａ及びＬＥＤ２ｂから出力された各出射光の、灯具１０の直下で測定された照度（直下照度）を夫々ｘルクス及びｙルクスとする。この場合、各ＬＥＤ２ａ，２ｂから出力された光の混色光のＦＣＩは、（１００ｘ＋１５０ｙ）/（ｘ＋ｙ）となり、また、混色光の直下照度は、（ｘ＋ｙ）ルクスとなる。このときの混色光の目立ち感は、ＦＣＩが１００であるＬＥＤ２ａに比べて、下記式（３）で示されるルクスの目立ち感に相当する。
【００３９】
【数３】
2014222594.tif 000005
【００４０】
すなわち、ユーザが、第２調光モードでボリュームスイッチ３１を操作して、目立ち度を１．２倍にするような操作をしたとき、制御部４は、（１００ｘ＋１５０ｙ）/（ｘ＋ｙ）の値が１．２倍に、且つ（ｘ＋ｙ）の値は変化しないように、ＬＥＤ２ａ及びＬＥＤ２ｂの出力比を決定する。
【００４１】
ここで、本変形例のより具体的な動作例を下記表１，表２を参照して説明する。表１は、第１調光モードにおけるボリュームスイッチ３１の操作量と、照度、ＦＣＩ及び各光源（ＬＥＤ２ａ，２ｂ）の出力を示す。
【００４２】
【表１】
2014222594.tif 000006
【００４３】
第１調光モードでは、ボリュームスイッチ３１の操作量に応じて、相対的にＦＣＩの低いＬＥＤ２ａの点灯出力を制御する。これにより、上記実施形態と同様、発光効率の良い白色ＬＥＤから構成されたＬＥＤ２ａを点灯させることで省エネルギ化を図ることができる。
【００４４】
表２は、第２調光モードにおけるボリュームスイッチ３１の操作量と、照度、ＦＣＩ及び各光源（ＬＥＤ２ａ，２ｂ）の出力を示す。
【００４５】
【表２】
2014222594.tif 000007
【００４６】
第２調光モードでは、照度を変化させることなく、ＬＥＤ２ａ，２ｂの出力比を制御して、照明光のＦＣＩを変化させることで、照射対象の目立ち感を高めることができる。上記実施形態では、３種のＬＥＤ２ａ〜２ｃを用いていたので、照明光の色度の可変範囲を広くすることができたが、３種の出力比を制御する必要があるため、制御部４における調光制御や灯具１０の配線等が複雑であった。一方、本変形例では、光源が２種なので、制御部４における調光制御等を簡易にすることができる。なお、第２調光モードにおける照度は、上述した１０００Ｌｘに限られず任意に設定することができ、例えば、第１調光モードで設定された照度に従って制御される。
【００４７】
次に、上記実施形態の別の変形例に係る照明システムについて、図１１を参照して説明する。図１１に示すように、本変形例の照明システム１は、照射対象を検知するセンサ３４を更に備える。そして、このセンサ３４の検知結果に応じて調光モードを切り替える。すなわち、センサ３４がモード切替部のための信号出力部として機能する。センサ３４には、例えば、人の存在の有無を検知する焦電センサが用いられる。また、センサ３４の検知エリアは、灯具１０による照明光の照射範囲と同等に設定される。なお、図１１では、センサ３４が灯具１０と別の構成として示されているが、センサ３４が灯具１０に組み込まれていてもよい。また、センサ３４は、焦電センサの他に、ＣＭＯＳセンサや熱画像センサ等であってもよい。更に、コントローラ３に表示部（不図示）を設け、この表示部にセンサ３４の検知結果を表示してもよい。
【００４８】
上記実施形態及び変形例では、ユーザがコントローラ３のモード切替スイッチ３３ａ，３３ｂを用いて、照明システム１の調光モードを手動で切り替えていた。これに対して、本変形例では、例えば、センサ３４が人を検知したとき、照明システム１の調光モードを第１調光モードから第２調光モードに切り替え、一方、センサ３４による検知が無いとき、第２調光モードから第１調光モードに切り替える。
【００４９】
この変形例によれば、ユーザは予めボリュームスイッチ３１で目立ち度の調節をするだけで、対象に合わせて調光モードが自動的に切り替えられる。そして、照射エリアに演者等の人がいる場合には、第２調光モードになることで、目立ち感を維持したまま、演者が感じる光の煩わしさを低減することができる。
【００５０】
なお、本発明は、上記実施形態に限らず、種々の変形が可能である。上述した実施形態及び各変形例では、調光モードは２種である動作例を示したが、照度と目立ち指数とを相関づけた調光カーブと、ボリュームスイッチ３１における操作量とを相対させて、照度と目立ち指数の両方を可変とした更なる調光パターンが用いられてもよい。また、光源の構成としては、各ＬＥＤの分光分布の実現に関して、蛍光体の組合せは例示したものに限らない。また、ＬＥＤの種類及びそれらの組合せは、実施例に示した数、組合せに限らず、相関色温度の変化と、目立ち指数ＦＣＩを維持することができるものであればよい。更には、光源は、ＬＥＤに限らず、色度及び照度が可変であれば、白熱灯、蛍光灯、有機ＥＬ等、他の光源であってもよい。
【符号の説明】
【００５１】
１    照明システム
２    光源
２ａ，２ｂ，２ｃ    ＬＥＤ
３    コントローラ（操作部）
３１    ボリュームコントローラ（入力部）
３３ａ，３３ｂ    モード切替スイッチ（モード切替部）
３４    センサ（モード切替部の構成要素）
４    制御部
【図１】
2014222594.tif 000008
【図２】
2014222594.tif 000009
【図３】
2014222594.tif 000010
【図４】
2014222594.tif 000011
【図５】
2014222594.tif 000012
【図６】
2014222594.tif 000013
【図７】
2014222594.tif 000014
【図８】
2014222594.tif 000015
【図９】
2014222594.tif 000016
【図１０】
2014222594.tif 000017
【図１１】
2014222594.tif 000018